(57)【要約】【課題】苦痛や不快感などを伴うことなく長時間の装着性が良好で、しかも製造コストが安価なヘッドホンを提供する。【解決手段】音響出力部２と、音響出力部２が収納されるバックシェル３と、耳介に装着されるイヤーホルダ４とを含み、少なくともイヤーホルダ４が柔軟性を有する基材からほぼ中央に耳介に嵌合される耳介装着孔４１を備えてドーナツ状に形成されるとともに、耳介装着孔４１の周りには、耳介の耳輪径よりも小径の縮径状態に保持される伸縮手段４２が設けられる。【選択図】　図２
2004032645.tif 000002
【特許請求の範囲】
【請求項１】
スピーカユニットの周縁にバッフル板を備えた音響出力部と、外観が凸球面を呈し、その開口部内に上記音響出力部が収納されるバックシェルと、上記バックシェルの開口部側に取り付けられたイヤーホルダとを含み、
上記イヤーホルダが柔軟性を有する基材からなり、ほぼ中央に耳介に嵌合し得る耳介装着孔を備えてドーナツ状に形成されているとともに、上記耳介装着孔の周りには、上記耳介装着孔を拡径・縮径可能とし、常態において上記耳介装着孔を上記耳介の耳輪径よりも小径の縮径常態に保持する伸縮手段が設けられていることを特徴とするヘッドホン。
【請求項２】
上記バックシェルも、上記イヤーホルダと同じく柔軟性を有する基材からなることを特徴とする請求項１記載のヘッドホン。
【請求項３】
上記基材が、繊維材、不織布、合成皮革、軟質発泡合成樹脂のいずれか１つ、もしくはこれらの内の２つの接合体からなることを特徴とする請求項１または２に記載のヘッドホン。
【請求項４】
上記バックシェルが、開閉自在にほぼ半分に分割された一対のシェルメンバーからなることを特徴とする請求項１，２または３に記載のヘッドホン。
【請求項５】
上記バックシェルと上記イヤーホルダとの間には、上記音響出力部の放音面を覆う音透過性を有するセパレータが設けられていることを特徴とする請求項１ないし４のいずれか１項に記載のヘッドホン。
【請求項６】
上記バックシェル内の上記音響出力部の反放音面側には、通気性を有する充填材が詰められていることを特徴とする請求項１ないし５のいずれか１項に記載のヘッドホン。
【請求項７】
上記基材には、温度の変化によって色が変化する示温インク材が含まれていることを特徴とする請求項１ないし６のいずれか１項に記載のヘッドホン。
【請求項８】
上記基材には、汗や熱を吸収、拡散する熱移動量の大きな繊維素材が用いられていることを特徴とする　請求項１ないし７のいずれか１項に記載のヘッドホン。
【発明の詳細な説明】
【０００１】
【発明の属する技術分野】
本発明はスピーカから放音される音を聞くために耳介に装着して使用されるヘッドホンに関し、特に詳しくは、長時間の装着性が良好で、デザインの選択幅も広く、しかも製造コストが安価で、スピーカユニット交換も容易とするヘッドホンの製造技術に関するものである。
【０００２】
【従来の技術】
ヘッドホンは、装着時の構造上の特徴から大別して、例えばヘッドバンドタイプ、眼鏡のつるを模したハンガータイプ、インナーイヤータイプに区分けされ、いずれのタイプのヘッドホンもスピーカを耳介にあてがうことにより聴音が可能となる。
【０００３】
このうちバンドタイプのものは、弾性力を有するほぼＵ字状を呈する硬質バンドを介してスピーカユニットを耳介に当接保持するもので、主として密閉タイプの重量級ヘッドホンに適用されている。
【０００４】
ハンガータイプのヘッドホンは、ヘッドバンドの代わりに、眼鏡のつる状に形成された硬質ハンガーにスピーカユニットを取り付けてなり、そのハンガーを耳輪に掛けてスピーカを耳介にあてがうことにより聴音可能となるもので、小型に形成されるため携帯に便利である。
【０００５】
また、インナータイプのヘッドホンは、スピーカユニットを耳甲と耳珠との間に挿入して保持するもので、もっとも小型かつ軽量であることから、典型的な携帯型ヘッドホンとして多用されている。
【０００６】
【発明が解決しようとする課題】
いずれのタイプのヘッドホンを使用するかは、ユーザーの選択による。すなわち、音質を重視する場合には、ヘッドバンドタイプのヘッドホンが選択されるが、硬質のヘッドバンドを頭部に掛け渡して頭部を締め付けた状態で使用されることから、締め付け部分に苦痛を覚えるなどの問題があり、長時間の使用にはむかない。また、全体として大型であるため携帯には不便である。
【０００７】
一方、ハンガータイプのヘッドホンは、ヘッドバンドによることなく比較的大口径のスピーカユニットを耳介にあてがうことができるため、ヘッドバンドタイプにも匹敵する音質が得られ、また、携帯にも便利である。
【０００８】
しかしながら、ここで使用されるハンガーは硬質材からなり、通常、最大公約数的な大きさに形成されているため、必ずしも使用者の耳輪に適合する大きさとは言えない場合がある。そのため、ユーザーに対して大きすぎるハンガーは簡単に耳輪から脱落し、また、小さすぎるハンガーは耳輪に痛みを生じさせるなど、その装着性の問題が指摘されている。
【０００９】
また、インナーイヤータイプのヘッドホンは、スピーカの口径が小さいため迫力のある低音が出にくいばかりでなく、単に耳介に押し込むだけであるため簡単に耳甲介から外れやすい。また、長時間の使用には耳甲介が圧迫されることによる苦痛感が生ずることもある。
【００１０】
さらに、ヘッドバンドタイプおよびハンガータイプのヘッドホンにおいては、イヤーパッドが耳介に直接圧接されるため、特に暑い環境下ではイヤーパッドに汗が付着し不快感を覚えることがある。
【００１１】
別の問題として、ヘッドホンの場合、スピーカユニットはバックシェルと呼ばれる筐体内に収納されるが、多くの場合、そのバックシェルには合成樹脂の成型品が用いられている。
【００１２】
このため、そのモールド金型に対する投資費用が負担になり、これが原因でコスト高になる。また、バックシェル内にセットされたスピーカユニットを、他の機種のスピーカユニットに変更することは容易でなく、設計の自由度も狭められていた。
【００１３】
したがって、本発明の課題は、苦痛や不快感などを伴うことなく長時間の装着が可能であるとともに、デザインの選択幅も広く、しかも製造コストが安価で、スピーカユニットの交換も容易に行うことができるヘッドホンを提供することにある。
【００１４】
【課題を解決するための手段】
上記課題を解決するため、本発明は、スピーカユニットの周縁にバッフル板を備えた音響出力部と、外観が凸球面を呈し、その開口部内に上記音響出力部が収納されるバックシェルと、上記バックシェルの開口部側に取り付けられたイヤーホルダとを含み、上記イヤーホルダが柔軟性を有する基材からなり、ほぼ中央に耳介に嵌合し得る耳介装着孔を備えてドーナツ状に形成されているとともに、上記耳介装着孔の周りには、上記耳介装着孔を拡径・縮径可能とし、常態において上記耳介装着孔を上記耳介の耳輪径よりも小径の縮径常態に保持する伸縮手段が設けられていることを特徴としている。
【００１５】
この構成によれば、イヤーホルダによって耳介が包み込まれるため、耳介に対して圧迫感や密着感がほとんど発生せず、したがって、苦痛や不快感などを伴うことなく、長時間にわたって使用することができる。
【００１６】
本発明において、バックシェルもイヤーホルダと同じく柔軟性を有する基材からなることが好ましい。使用する基材としては、繊維材、不織布、合成皮革、軟質発泡合成樹脂のいずれか１つ、もしくはこれらの内の２つの接合体を例示することができる。中でも、ある程度の自己保形性を有する厚手のものが好ましく、例えばスポンジ状シートと布地とを接合してなるウェットスーツ用の生地が好適に採用される。
【００１７】
このように、イヤーホルダとバックシェルをともに柔軟性を有する基材から構成することにより、まず、ヘッドホン全体が軽量となり、ユーザーに対する装着時の重量負担を軽減することができる。
【００１８】
また、基材を裁断して、縫製もしくは高周波溶着などによってイヤーホルダーとバックシェルを作製することができ、特にバックシェルに関しては、高価なモールド金型を必要とせず部品点数も少ないため、その分、製造コストを下げることができる。また、基材の色などにも容易にバリエーションを持たせることができる。
【００１９】
バックシェルは１枚の基材から一体に構成されてもよいが、バックシェルを開閉可能な状態、すなわちほぼ半分に分割された一対のシェルメンバーにより構成されることが好ましい。これによれば、シェルメンバーを開いて、音響出力部を取り出して、例えば大きさの異なるスピーカを有する別の音響出力部をバックシェル内に収納することが容易にでき、設計の自由度が高められる。
【００２０】
スピーカユニットとバッフル板からなる音響出力部の背部音響容量を明確化するとともに、スピーカユニットの放音面を保護するため、バックシェルとイヤーホルダとの間には、上記音響出力部の放音面を覆う音透過性を有するセパレータが設けらることが好ましい。
【００２１】
また、バックシェルの保形性を高めるとともに、スピーカユニットの音響特性の好適化を図るうえで、バックシェル内の音響出力部の反放音面側には、通気性を有する充填材（例えば、フェルト材やスポンジ体）を詰め込むことができる。
【００２２】
別の態様として、ヘッドホンの趣向性を凝らすため、イヤーホルダおよび／またはバックシェルを構成する基材に、温度の変化によって色が変化する示温インク材が含ませたり、汗や熱を吸収、拡散する熱移動量の大きな繊維素材を用いることができる。
【００２３】
【発明の実施の形態】
次に、図面を参照して、本発明の実施形態について説明する。図１は本発明に係るヘッドホンを一対として概略的に示す斜視図であり、図２は一方のヘッドホンの図１におけるＩ−Ｉ線に沿った断面図、図３はその分解図である。
【００２４】
なお、本発明のヘッドホンを左右（Ｌ，Ｒ）一対として使用するか、その片側のみを使用するかはユーザの選択によるが、Ｌ用，Ｒ用は実質的に同一構成であるため、以下の説明においては、便宜的に一方のヘッドホン１のみを示して説明する。
【００２５】
このヘッドホン１は、基本的な構成として、音響出力部２と、音響出力部２が収納されるバックシェル３と、音響出力部２の放音面側に取り付けられるイヤーホルダ４とを備えている。
【００２６】
音響出力部２は、スピーカユニット２１と、スピーカユニット２１の周縁に取り付けられたバッフル板２３とを含み、コード２４を介して図示しない例えば携帯型録音再生機などに接続される。なお、２５はコード２４をバッフル板２３に固定するブッシュである。
【００２７】
バックシェル３は、音響出力部２のバッフル板２３とほぼ同径である円形を呈する開口部３１を備え、その背面側は内部に音響出力部２を収納し得る適宜大きさの収納空間３２を有する凸球面（卵状球面）を呈するように形成されており、音響出力部２は、開口部３１をバッフル板２３で覆うようにして収納空間３２内に収納される。
【００２８】
イヤーホルダ４は、そのほぼ中央に耳介Ｂの耳輪（図７参照）に嵌合し得る耳介装着孔４１を備えてほぼドーナツ状に形成されている。耳介装着孔４１の周り、すなわち、イヤーホルダ４の内周縁部４ｂには、耳介装着孔４１の拡径、縮径を自在とする伸縮手段４２が設けられている。
【００２９】
この場合、イヤーホルダ４は、柔軟性を有する基材から構成されており、伸縮手段４２は、内周縁部４ｂにゴムなどの伸縮部材を縫合するなど、適宜の手段によって設けられ、耳介装着孔４１の拡径、縮径を可能としている。
【００３０】
また、伸縮手段４２は、耳介装着孔４１が耳に嵌合された状態において、その耳介装着孔４１を耳介Ｂの耳輪径よりも小径の縮径状態に保持する。このため、イヤーホルダ４の装着時に、耳介Ｂに対する圧迫感や密着感を発生させることがなく、長時間の使用でも苦痛や不快感などが伴うことがない。
【００３１】
イヤーホルダ４は柔軟性を有する基材から形成されている。この種の基材として、繊維材，不織布，合成皮革，軟質発泡合成樹脂のいずれか１つ、もしくはこれらの内の２つの接合体を例示することができる。中でも、ある程度の自己保形性を有する厚手のもくが好ましく、例えばスポンジ状シートと布地とを接合してなるウェットスーツ用の生地が好適に採用される。
【００３２】
この実施形態において、バックシェル３もイヤーホルダ４と同様の柔軟性を有する基材から構成されている。これによれば、ヘッドホン１全体が軽量となって装着時の重量負担を軽減することができる。
【００３３】
また、この実施形態において、バックシェル３とイヤーホルダ４との間には、音透過性を有する基材で構成されるセパレータ５が取り付けられている。セパレータ５は、音響出力部２の放音面２２を覆うように取り付けられる。これによれば、音響出力部２の背部音響容量を明確化するとともに、放音面２２を保護することができる。
【００３４】
バックシェル３の収納空間３２内には、音響出力部２の背面音響抵抗として、所定の通気性を有する例えばフェルト材やスポンジ体からなる充填材６が詰め込まれることが好ましい。これによれば、バックシェル３を柔軟性を有する基材より形成する場合の保形性が高められるとともに、スピーカユニット２１の音響特性の好適化を図ることができる。
【００３５】
次に、図４および図５により、このベットホン１のバックシェル３，イヤーホルダ４およびセパレータ５の各々が柔軟性を有する基材からなる場合の組立手順の一例について説明する。
【００３６】
バックシェル３については、好ましくはウェットスーツ生地などの厚みのある柔軟な基材を用い、その基材から図４（ａ）に示すように、半割状とした一対のシェルメンバー３Ａ，３Ｂを型どり（裁断）し、例えば熱プレスなどにより球面状に仕上げる。
【００３７】
また、各シェルメンバー３Ａ，３Ｂの周縁の図示鎖線部分を内側に折り曲げて接合しろ３ａ，３ｂを形成する。そして、シェルメンバー３Ａ，３Ｂの相対する対向面３３，３４間に、図示しない例えば面ファスナやスライドファスナなどのファスナ部材を取り付ける。図５（ａ）に、そのファスナ部材にてシェルメンバー３Ａ，３Ｂ間を閉じた状態を示す。
【００３８】
イヤーホルダ４についても、好ましくはウェットスーツ生地などの厚みのある柔軟な基材を用い、その基材から図４（ｃ）に示すように、ドーナツ状に型どりした後、図２に示すように、耳介装着孔４１の内周縁部４ｂの周りに、例えば輪ゴム状の伸縮手段４２を配置し、内周縁部４ｂを内側に折り返して伸縮手段４２を取り付ける。内周縁部４ｂの折り返し部の固定は縫着もしくは高周波溶着などによる。
【００３９】
次に、ドーナツ状に型どりされたイヤーホルダ４に、必要に応じて例えば熱プレスなどにより、図５（ｃ）に示すように円錐形状を付形した後、図４（ｃ）に示す外周縁側の図示鎖線部分を内側に折り曲げて接合しろ４ａを形成する。セパレータ５については、例えば多数の孔が明けられた樹脂フィルムを円形に裁断し、図４（ｂ）に示す外周縁側の図示鎖線部分を内側に折り曲げて接合しろ５ａを形成する。
【００４０】
そして、バックシェル３の接合しろ３ａ，３ｂと、セパレータ５の接合しろ５ａと、イヤーホルダ４の接合しろ４ａとを重ねて縫着もしくは高周波溶着などにより一体的に接合する。
【００４１】
このように、音響出力部２の外装体としてのバックシェル３とイヤーホルダー４とに柔軟性を有する基材を用いることにより、パターン化された基材を縫製もしくは高周波溶着などの接合手段によって容易に作製することができ、特に、バックシェルに関しては、高価なモールド金型を必要とせず部品点数も少ないため、製造コストを下げることができる。
【００４２】
また、図６（ａ）にも示すように、バックシェル３を一対のシェルメンバー３Ａ，３Ｂから構成し、そのスリット状の合わせ目３５を図示しない例えばファスナ部材により開閉可能とすることにより、図６（ｂ）に示すように、その合わせ目３５を開いて音響出力部２を交換することができ、設計の自由度が高められることになる。
【００４３】
これとは別に、バックシェル３を１枚ものの基材から形成することもでき、その場合には、バックシェル３にセパレータ５およびイヤーホルダー４を取り付ける前に、バックシェル３内に音響出力部２を収納すればよい。
【００４４】
いずれにしても、音響出力部２をバックシェル３内に収納するにあたっては、音響出力部２のバッフル板２３の周縁をバックシェル３の接合しろに例えば両面接着テープや面ファスナなどの止着手段にて固定することが好ましい。
【００４５】
また、上記実施形態においては、セパレータ５をバックシェル３とイヤーホルダ４とに対して同時に接合するようにしているが、例えばセパレータ５の取付取り外しを自在とする面ファスナや両面接着（粘着）テープなどの止着手段を設けることもできる。
【００４６】
図７に模式的に示すように、このヘッドホン１は、伸縮手段４２に抗して耳介挿通孔４１を拡径してイヤーホルダー４を人Ａの耳介Ｂに被せた後、伸縮手段４２にて耳介挿通孔４１を縮径させることにより耳介Ｂの耳輪に保持される。
【００４７】
この実施形態によれば、ヘッドホン１のバックシェル３およびイヤーホルダー４がともに柔軟性を有する基材で構成されているため軽量であり、長時間の使用であっても苦痛や不快感を伴うことなく使用することができ、また、柔軟に変形可能であることから携帯性にも優れている。
【００４８】
また、バックシェル３内に収納される音響出力部２のバッフル板２３と充填材６によって保形性が保たれ、かつ、音透過性を有するセパレータ５が放音面２２を覆って設けられることから、音響特性を損なうことなく好適に使用することができる。
【００４９】
また、バックシェル３に対して音響出力部２を簡単に交換することができるため、音響特性の異なる種々の音響出力部２や、バックシェル３やイヤーホルダ４の基材（材質や色を含む）を異ならせた外装体（筐体）を複数用意することで、音響的にもデザイン的にもバリエーションに富んだものとすることができる。
【００５０】
この場合において、バックシェル３やイヤーホルダ４を構成する基材に、温度の変化によって色が変化する例えば示温インク材を含ませることもできる。これによれば、ヘッドホン１の色彩の変化や意外性を楽しむことができ、より趣向性の高いものとなる。
【００５１】
また、特にイヤーホルダ４を構成する基材として、汗や熱を吸収，拡散する熱移動量の大きな繊維素材（例えば、クラレ社製の商品名「ソフィスタ」）を用いることにより、暑い屋外やスタジオでの使用に際しても、耳元に涼しさを与え使用時の快適感を向上させることができる。
【００５２】
【発明の効果】
以上説明したように、本発明のヘッドホンは、音響出力部の収納を自在として柔軟性を有する基材から構成されているため、ヘッドホン全体が軽量となり、ユーザーに対する重量負担を軽減することができる。また、柔軟性を有するイヤーホルダによって耳介が包み込まれるため、耳介に対する圧迫感や密着感に伴う苦痛や不快感などを生じさせることなく、長時間にわたって使用することができる。
【００５３】
また、イヤーホルダやバックシェルは、基材を裁断して縫製などにより作製することができるため、特にバックシェルに関しては、高価なモールド金型を必要とせず部品点数も少ないため、その分、製造コストを下げることができる。
【００５４】
また、音響特性の異なる音響出力部と、色などにバリエーションを持たせたヘッドホン筐体との種々の組み合わせを楽しむことができ、ヘッドホンのデザイン性、音響嗜好性に幅を持たせて趣向性を向上させることができる。
【図面の簡単な説明】
【図１】本発明に係るヘッドホンを一対として概略的に示す斜視図。
【図２】上記一方のヘッドホンの図１におけるＩ−Ｉ線に沿った断面図。
【図３】図２におけるヘッドホンを分解して示す断面図。
【図４】本発明に係るヘッドホンに適用されるバックシェル，セパレータおよびイヤーホルダの各展開図。
【図５】本発明に係るヘッドホンに適用されるバックシェル，セパレータおよびイヤーホルダの各斜視図。
【図６】上記バックシェルに対して音響出力部が交換可能であることを示す説明図。
【図７】本発明の使用例を示す説明図。
【符号の説明】
１　ヘッドホン
２　音響出力部
２１　スピーカユニット
２３　バッフル板
３　バックシェル
３１　開口部
３２　収納空間
３３，３４　対向面
３５　合わせ目
３Ａ，３Ｂ　シェルメンバー
４　イヤーホルダ
４１　耳介装着孔
４２　　伸縮手段
５　セパレータ
６　充填材
Ｂ　耳介
【図１】
2004032645.tif 000003
【図２】
2004032645.tif 000004
【図３】
2004032645.tif 000005
【図４】
2004032645.tif 000006
【図５】
2004032645.tif 000007
【図６】
2004032645.tif 000008
【図７】
2004032645.tif 000009